(57)【要約】【課題】エアフィルターを空気調和機本体から取り外すことなく、簡単に清掃できる空気調和機を提供する。【解決手段】熱交換器（図示せず）に流入する空気中に含まれる塵埃を捕集するエアフィルター２と、前記エアーフィルター２を支持固定するフィルターワク１と、前記エアフィルター２の上流側表面に沿って左右に移動可能な吸引ノズル３と、前記吸引ノズル３に連結された吸引装置７とを備えたもので、前記エアーフィルター２を空気調和機本体（図示せず）に取り付けたままで、前記吸引ノズル３を前記エアフィルター２の上流側表面に沿って左右に移動させながら吸引装置７を運転するだけで、エアフィルター２の全面に渡って付着した塵埃を簡単に除去することができる。【選択図】図１
2005147546.tif 000002
【特許請求の範囲】
【請求項１】
熱交換器と、前記熱交換器に流入する空気の塵埃を捕集するエアフィルターと、前記エアーフィルターを支持固定するフィルターワクと、前記エアフィルターの上流側表面に沿って左右に移動可能な吸引ノズルと、前記吸引ノズルに連結された吸引装置とを備えたことを特徴とする空気調和機。
【請求項２】
吸引ノズルを、フィルターワクの上部と下部のいずれか１方に設けたシャフトと他方に設けたガイドレールとで支持することを特徴とする空気調和機。
【請求項３】
吸引ノズルのガイドレールに沿って摺動する部位に滑車を設けたことを特徴とする請求項２記載の空気調和機。
【請求項４】
シャフトを中空構造としたことを特徴とする請求項２または３記載の空気調和機。
【請求項５】
吸引ノズルのシャフトの近傍とフィルターワクのいずれか一方にリブを、他方に前記リブを受ける第２のガイドレールを設けたことを特徴とする請求項２〜４のいずれか１項記載の空気調和機。
【請求項６】
吸引ノズルを左右に移動させる移動手段として、前記吸引ノズルの一部と連結されたベルトと、前記ベルトを駆動する駆動モーターとで構成したことを特徴とする請求項１〜５のいずれか１項記載の空気調和機。
【請求項７】
シャフトの外周部におねじを形成し、吸引ノズルの前記シャフトが貫通する部分に前記おねじにねじ嵌合するめねじを形成して、前記シャフトを回転させる事により前記吸引ノズルを左右に移動させることを特徴とする請求項２〜５のいずれか１項記載の空気調和機。
【請求項８】
シャフトの中心部を金属材料で、おねじ部分を樹脂材料でそれぞれ形成したことを特徴とする請求項７記載の空気調和機。
【請求項９】
吸引装置の排気側と室外とを連通させたことを特徴とする請求項１〜８のいずれか１項記載の空気調和機。
【発明の詳細な説明】
【技術分野】
【０００１】
本発明は、エアフィルターの清掃を自動的に行うようにした空気調和機に関するものである。
【背景技術】
【０００２】
従来の空気調和機では、熱交換器の前面に、空気調和機の本体内部へ埃が侵入することを防ぐためのエアフィルターが設けられており、このエアフィルターは付着した塵埃を手で清掃できるように着脱自在に取り付けられていた。
【０００３】
こうしたエアフィルターは頻繁なメンテナンスが必要となるだけでなく、メンテナンスが行われるまでの間にエアフィルターが徐々に目詰まりしていき、その結果、熱交換器を通過する風量が低下し、空調能力が低下して消費電力の増大につながることとなる。
【０００４】
このため、フィルターのメンテナンスの手間を低減する目的で、駆動軸に張架したベルト状のエアフィルターと、前記エアフィルターの表面に接する回転ブラシを設け、前記駆動軸を回転させてエアフィルターを移動させながら、その表面に堆積した塵埃を回転ブラシを回転させて掻きとるようにした空気調和機もある（例えば、特許文献１参照）。
【特許文献１】特開平６−７４５２１号公報
【発明の開示】
【発明が解決しようとする課題】
【０００５】
しかしながら、上記従来技術ではブラシとエアフィルターがお互いにこすられるためブラシに塵埃が絡みついたり、ブラシが摩耗もしくは変形してエアフィルターに付着した塵埃除去機能が著しく低下するなどの問題があった。
【０００６】
本発明は、前記従来の課題を解決するもので、エアフィルターを空気調和機本体から外すことなく、エアフィルターに付着した塵埃を自動吸引するメンテナンスの容易な空気調和機を提供することを目的とする。
【課題を解決するための手段】
【０００７】
前記従来の課題を解決するために、本発明の空気調和機は、熱交換器と、前記熱交換器に流入する空気の塵埃を捕集するエアフィルターと、前記エアーフィルターを支持固定するフィルターワクと、前記エアフィルターの上流側表面に沿って左右に移動可能な吸引ノズルと、前記吸引ノズルに連結された吸引装置とを備えたもので、前記エアーフィルターを空気調和機に本体に取り付けたままで、前記吸引ノズルを前記エアフィルターの上流側表面に沿って左右に移動させながら吸引装置を運転するだけで、エアフィルターの全面に渡って付着した塵埃を簡単に除去することができるととも、吸引装置が内蔵されているので、塵埃吸引用に外部の電気掃除機を使う必要も無い。
【発明の効果】
【０００８】
本発明の空気調和機は、エアフィルターを取り外すことなく、それに付着した塵埃の吸引清掃を、自動的に且つ良好に行うことができる。
【発明を実施するための最良の形態】
【０００９】
第１の発明は、熱交換器と、前記熱交換器に流入する空気の塵埃を捕集するエアフィルターと、前記エアーフィルターを支持固定するフィルターワクと、前記エアフィルターの上流側表面に沿って左右に移動可能な吸引ノズルと、前記吸引ノズルに連結された吸引装
置とを備えたもので、前記エアーフィルターを空気調和機に本体に取り付けたままで、前記吸引ノズルを前記エアフィルターの上流側表面に沿って左右に移動させながら吸引装置を運転するだけで、エアフィルターの全面に渡って付着した塵埃を簡単に除去することができるととも、吸引装置が内蔵されているので、吸引用に外部の電気掃除機を使う必要も無い。
【００１０】
第２の発明は、特に、第１の発明の吸引ノズルを、フィルターワクの上部と下部のいずれか１方に設けたシャフトと他方に設けたガイドレールとで支持するもので、吸引ノズルの上部、下部が支持される事により、吸引ノズルとエアフィルターの表面との隙間が一定に保たれ、エアフィルター全面の吸引清掃を良好に行うことが可能となる。
【００１１】
第３の発明は、特に、第２の発明の吸引ノズルのガイドレールに沿って摺動する部位に滑車を設けたもので、それにより摩擦が軽減され吸引ノズルを円滑に移動させる事ができる。
【００１２】
第４の発明は、特に、第２または第３の発明のシャフトを中空構造にしたもので、シャフトが軽くなり、シャフトの自重による撓みを軽減することができるため、このシャフトに支持されている吸引ノズルを安定した動作で移動させる事ができる。
【００１３】
第５の発明は、特に、第２〜４のいずれか１つの発明の吸引ノズルのシャフトの近傍とフィルターワクのいずれか一方にリブを、他方に前記リブを受ける第２のガイドレールを設けたもので、前記フィルターワクに設けたリブまたは第２のガイドレールが、吸引ノズルの自重を受けるため、吸引ノズルを支持しているシャフトの撓みをさらに軽減することができ、吸引ノズルはより安定して移動することが可能となる。
【００１４】
第６の発明は、特に、第１〜５のいずれか１つの発明の吸引ノズルを左右に移動させる移動手段として、前記吸引ノズルの一部と連結されたベルトと、前記ベルトを駆動する駆動モーターとで構成したもので、ベルトと駆動モータとの接触が面接触になるので、駆動モータからの駆動力をスリップすることなく、ベルトを介して吸引ノズルに伝達することができる。
【００１５】
第７の発明は、特に、第２〜５のいずれか１つの発明のシャフトの外周部におねじを形成し、吸引ノズルの前記シャフトが貫通する部分に前記おねじにねじ嵌合するめねじを形成して、前記シャフトを回転させる事により前記吸引ノズルを左右に移動させるようにしたもので、ローラなどの他の動力伝達部品を介在させることなく、シャフトを回転させるだけで、吸入ノズルを移動させる事ができるので、強い駆動力を伝達することができるとともに、駆動機構の構成が簡略化され、故障も少ないものとなる。
【００１６】
第８の発明は、特に、第７の発明のシャフトの中心部を金属材料で、おねじ部分を樹脂材料でそれぞれ形成したもので、シャフトが軽くなり、シャフトの自重による撓みが軽減され、吸引ノズルを円滑に移動できると共に、おねじ部も樹脂成形で得られるので、製造コストも低減できる。
【００１７】
第９の発明は、特に、第１〜８のいずれか１つの発明の吸引装置の排気側と室外とを連通させたもので、吸引ノズルによるエアフィルターの清掃の都度、吸引された塵埃が室外に排出されるので、塵埃の処理の手間が省け、極めて使用勝手の良い空気調和機を提供する事ができる。
【００１８】
以下、本発明の実施の形態について、図面を参照しながら説明する。なお、この実施の形態によって本発明が限定されるものではない。
【００１９】
（実施の形態１）
図１は、本発明の実施の形態１における空気調和機のエアフィルターの取り付け部の構成を示す斜視図、図２は、同空気調和機の吸引ノズルの断面図（図１のＡ−Ａ断面）である。
【００２０】
図１、図２において、２は、熱交換器（図示せず）の上流側に配され熱交換器に流入する空気の塵埃を除去するエアフィルターで、フィルターワク１に支持固定され、そのエアフィルター２の上流側の表面に沿って左右に駆動可能な吸引ノズル３が設けられる。
【００２１】
吸引ノズル３は、フィルターワク１の下端に設置したシャフト４と、上端に設置したガイドレール５により、エアフィルター２の表面と極めて狭い隙間を保って支持されて摺動可能としている。また、吸引ノズル３にはワイヤー１０が連結されており、このワイヤー１０はフィルターワク１の左右端に設けたローラー９で支持されて、どちらか一方のローラー９には駆動モータ１１が連結されている。吸引ノズル３の裏面には、図３に示すようにエアフィルター２の表面に対向して開口するスリット状の吸引孔１２が設けられている。
【００２２】
６は、吸引ダクトで一端が吸引ノズル３に、他端は吸引装置７に連結される。吸引ダクト６は吸引ノズル３の移動に差し支えないように折り曲げ可能な可撓性の富んだ蛇腹ホースなどで形成されている。吸引装置７には電動送風機（図示せず）が内蔵され、前記電動送風機の排気は後部に接続された排気ダクト８を通して室外に排気される。
【００２３】
このように構成された空気調和機の動作、作用について説明する。なお、本空気調和機の冷・暖房運転は、従来のものと同一なので、その説明は省略する。
【００２４】
空気調和機本体の運転停止後に、吸引装置７の運転を開始すると、吸引ダクト６が連結された吸引ノズル３の裏面に設けた吸引孔１２から空気が吸い込まれる。そして、エアフィルター２の右端に位置していた吸引ノズル３は、駆動モータ１１を運転することにより、それに連結されたワイヤー１０によって、エアフィルター２に沿って左端まで移動する。この時、エアフィルター２の表面に付着した塵埃は吸引ノズル３に設けた吸引孔１２から吸込まれ、塵埃は吸引ダクト６、吸引装置７、排気ダクト８を経由して室外へ排出されるため、エアフィルター全面に付着した塵埃を吸引清掃することができものである。また、駆動モータ１１を逆回転させると吸引ノズル３は右方向へ移動して元の位置（エアフィルター２の右端）へ戻すことができる。
【００２５】
そして、前述のような吸引清掃を良好に行うためには、エアフィルター２と吸引ノズル３の隙間を一定に保つことが重要となるが、この実施の形態では、吸引ノズル３はフィルターワク１の下端に設けたシャフト４とフィルターワク１の上端に設けたガイドレール５でしっかりと支持され摺動可能としたため、エアフィルター２との隙間を一定に保ちながら安定した動作を得ることができ、良好な吸引清掃を行うことが可能となる。
【００２６】
尚、このフィルター２の自動吸引清掃動作は、空気調和機の運転中に行なってもかまわない。
【００２７】
（実施の形態２）
図４は、本発明の実施の形態２における空気調和機のエアフィルターの取り付け部の断面図である。なお上記実施の形態と同一部分については同一符号を付してその説明を省略する。
【００２８】
吸引ノズル３の上端部にピン１３を固着し、そのピン１３に滑車１４を回転自在に設け、さらにこの滑車１４の外周に凹形状の溝１４ａを形成したものである。一方、フィルターワク１には滑車１４の溝１４ａに相対する位置にガイドレール５が配されており、このガイドレール５に滑車１４が噛合わされて、吸引ノズル３を支持する構造となっている。
【００２９】
この実施の形態によれば、吸引ノズル３がエアフィルター２に沿って移動するとき、吸引ノズル３の上端に設けた滑車１４がフィルターワク１に設けたガイドレール５に沿って回転するため、ガイドレール５と吸引ノズル３間の摺動抵抗が低減され、吸引ノズル３はさらに円滑に移動することができる。
【００３０】
尚、上記滑車１４は、吸引ノズル３の可動方向に複数個設けてもかまわない。
【００３１】
また、図５に示すように、フィルターワク１に設けたシャフト４を中空構造にすれば、シャフト４の自重による撓みが軽減されるため、このシャフト４に支持されて移動する吸引ノズル３は、エアフィルター２との隙間をより一層一定に保ちながら移動することができる。
【００３２】
また、図６に示すように、吸引ノズル３のシャフト４が貫通している部分の近傍にリブ１６を形成し、フィルターワク１のリブ１６に対向する部位に第２のガイドレール５ａを設け、リブ１６を第２のガイドレール５ａで支持すると共に摺動可能に噛合せるようにすれば、吸引ノズル３の自重を前記第２のガイドレール５ａが受け持つことになるため、吸引ノズル３を支えているシャフト４の撓みが上記の例と同様軽減され、吸引ノズル３は、エアフィルター２との隙間をより一定に保ちながら移動することができる。
【００３３】
尚、上記リブ１６をフィルターワク１に、第２のガイドレール５ａを吸引ノズル３側に設けても同様の効果を得ることができる。
【００３４】
（実施の形態３）
図７は、本発明の実施の形態３におけるフィルター装置の断面図である。なお上記実施の形態と同一部分については同一符号を付してその説明を省略する。
【００３５】
上記実施の形態では、吸引ノズル３を左右方向に移動させる手段として、駆動モータ１１で回転駆動されるローラー９で移動するワイヤ１０を用いたが、本実施の形態では、ベルト１７を用いるものである。ベルト１７はフィルターワク１の左右端に設けたローラー９に環状に張架され、その一部が吸引ノズル３に連結されている。
【００３６】
この実施の形態によれば、ベルト１７とローラー９との掛り代（接触面積）をワイヤー１０の場合に較べ大きく取ることができるため、駆動モータ１１からの駆動力がスリップすることなく吸引ノズル３に伝達され、吸引ノズル３を安定して移動させることができる。
【００３７】
（実施の形態４）
図８は、本発明の実施の形態４における空気調和機のエアフィルターの取り付け部の要部断面図である。
【００３８】
なお上記実施の形態と同一部分については同一符号を付してその説明を省略する。
【００３９】
上記実施の形態１、２、３では、吸引ノズル３を移動させる手段として、ローラー９を介在させたが、本実施の形態では、図８に示すように、外周におねじを形成したシャフト４の端部と駆動モーター１１とを連結し、前記吸引ノズル３のシャフト４が貫通する部分
に前記おねじにねじ嵌合するめねじを形成して、シャフト４と嵌合させて吸引ノズル３を支持したものである。
【００４０】
上記構成によれば、シャフト４と吸引ノズル３がねじ嵌合しているので、駆動モータ１１でシャフト４を回転させることにより、吸引ノズル３をエアフィルター２に沿って移動させる事ができる。本実施の形態によれば、上記実施の形態で述べたワイヤー１０やベルト１７、それらを保持するローラー９などを無くすことができるとともに、その部分でのロスが無いので、駆動モータ１１からの伝達力をさらに向上させることがでる。
【００４１】
また、図９に示すように、上記実施の形態４におけるシャフト４の中心部を金属材料で形成して、その表面に樹脂材料でおねじを成形するようにすれば、シャフト４の全体を金属で形成するよりも軽量化が図られるので、シャフト４の自重による撓みも軽減でき、吸引ノズル３の良好な駆動動作を得ることが可能となる。しかもシャフト４の表面のおねじを樹脂成形で形成できるので、製造時間が短縮され、安価に形成することができる。
【産業上の利用可能性】
【００４２】
以上のように、本発明にかかる空気調和機は、エアフィルターを外すことなく、エアフィルターに付着した塵埃の吸引清掃を自動的に且つ良好に行うことができるので、各種空調機器、送風機器、空気清浄機等に広く適用できるものである。
【図面の簡単な説明】
【００４３】
【図１】本発明の実施の形態１における空気調和機のフィルター取り付け部の斜視図
【図２】図１のＡ−Ａ断面図
【図３】（ａ）同空気調和機の吸引ノズルの側面図、（ｂ）同吸引ノズルの裏面図
【図４】本発明の実施の形態２における空気調和機のフィルター取り付け部の断面図（図１のＡ−Ａ断面）
【図５】他の例を示す空気調和機のフィルター取り付け部の断面図（図１のＡ−Ａ断面）
【図６】さらに他の例を示す空気調和機のフィルター取り付け部の断面図（図１のＡ−Ａ断面）
【図７】本発明の実施の形態３における空気調和機のフィルター取り付け部の断面図（図１のＡ−Ａ断面）
【図８】本発明の実施の形態４における空気調和機のフィルター取り付け部の要部断面図（図３のＢ−Ｂ断面）
【図９】他の例を示すフィルター取り付け部の要部断面図（図３のＢ−Ｂ断面）
【符号の説明】
【００４４】
１    フィルターワク
２    エアフィルター
３    吸引ノズル
４    シャフト
５    ガイドレール
５ａ  第２のガイドレール
６    吸引ダクト
７    吸引装置
８    排気ダクト
９    ローラー
１０    ワイヤー
１１    駆動モータ
１２    吸引孔
１４    滑車
１６    リブ
１７    ベルト
【図１】
2005147546.tif 000003
【図２】
2005147546.tif 000004
【図３】
2005147546.tif 000005
【図４】
2005147546.tif 000006
【図５】
2005147546.tif 000007
【図６】
2005147546.tif 000008
【図７】
2005147546.tif 000009
【図８】
2005147546.tif 000010
【図９】
2005147546.tif 000011